(57)【特許請求の範囲】
【請求項１】
隣り合って複数配置されることで座及び背もたれを構成するように、座部及び背もたれ部を一体的に備えた本体部材と、
隣り合う前記本体部材の前記背もたれ部同士の互いに向き合う端面を固定する固定具と、
前記複数の本体部材を座部のみに対して前記座部の裏面側から連結する連結具と、
前記連結具を支持する支持部材と、
を備えていることを特徴とする椅子。
【請求項２】
前記本体部材の前記背もたれ部の少なくとも一方の端面に、前記固定具が挿入される固定具挿入部が形成され、
前記固定具挿入部が前記背もたれ部の少なくとも二箇所に形成されていることを特徴とする請求項１に記載の椅子。
【請求項３】
前記固定具挿入部が前記背もたれ部の幅方向において有底とされていることを特徴とする請求項２に記載の椅子。
【請求項４】
前記固定具挿入部は、前記背もたれ部を幅方向に貫通し、
前記固定具の両端部は、隣り合う前記背もたれ部の前記固定具挿入部に挿入され、
前記固定具の中央付近には、ストッパが設けられていることを特徴とする請求項２に記載の椅子。
【請求項５】
前記固定具が合成樹脂から構成されていることを特徴とする請求項１〜４の何れか一項に記載の椅子。
【発明の詳細な説明】
【技術分野】
【０００１】
本発明は椅子に関するものである。
【背景技術】
【０００２】
一般に、脚部と、該脚部の上部に設けられた座と、該座に着座する利用者の背中側に設けられた背もたれとを有する様々な椅子が知られている。このような椅子については、設置場所の環境や要望に合わせて長さや形状等のデザインを任意に変更可能とする要望がある。
【０００３】
上記要望に応える椅子として、例えば特許文献１には、座板と、該座板の裏面に取着された互いに略平行な一対の横材と、該一対の横材を取着する足元金物と、該足元金物を支持する基台とからなるベンチが開示されている。ここで、足元金物は脚と、脚の上端に固定した略水平な支持板から構成されている。支持板は脚に固定された固定板と、固定板の端部に位置調節可能に連結された調節板から構成されている。
【０００４】
また、例えば特許文献２には、座部及び背もたれ部を形成している複数のフレーム材と、該フレーム材を串刺し状態に一定の間隔で相互に繋いでいる連結手段と、該連結手段によって連結されている前記フレーム材を床面等の平面上に支持する支持手段と、を有するユニット式椅子が開示されている。ここで、フレーム材において座部を構成する部分及び背もたれ部を構成する部分には、それぞれ座部側連結用孔及び背もたれ側連結用貫通孔が形成されている。また、連結手段はフレーム材の座部側連結用貫通孔に貫通している座部側連結部材と、フレーム材の背もたれ側連結用貫通孔に貫通している背もたれ側連結部材と、座部側及び背もたれ側の連結部材によって繋がれたフレーム材間を一定の間隔に保持する複数のスペーサと、座部側及び背もたれ側の連結部材からフレーム材が抜け出ることを防止する抜け止め材と、を有している。
【先行技術文献】
【特許文献】
【０００５】
【特許文献１】実開昭６３−１３５８４９号公報
【特許文献２】特開平４−６１８１１号公報
【発明の概要】
【発明が解決しようとする課題】
【０００６】
しかしながら、特許文献１に記載のベンチでは、一対の横材の形状にベンチの外観が殆ど拘束され、ベンチの外観を変更する際には該外観に合わせた形状の横材を新たに準備する必要がある。そのため、外観を変更するために横材の準備に時間とコストがかかり、外観を任意に変更し難いという問題があった。
【０００７】
また、特許文献２に記載のユニット式椅子では、組立時に、座部側連結用孔及び背もたれ側連結用貫通孔の計三か所の位置を隣接するフレーム材の間で合わせた後に、座部側及び背もたれ側の連結部材を三本設置する作業を要する。このとき、フレーム材の成形加工の精度が悪いと座部側連結用孔及び背もたれ側連結用貫通孔の位置合わせが困難になり、組立作業の効率が低下するという問題があった。そして、フレーム材の成形加工時に極めて高い加工精度及び組立精度が要求されることで外観を変更するためにフレーム材及び連結部材の準備に時間とコストがかかり、外観を任意に変更し難いという問題があった。
【０００８】
本発明は、上記事情を鑑みてなされたものであり、簡易な作業で外観を任意に変更可能であり、組立作業の効率化を図ることができる椅子の提供を目的とする。
【課題を解決するための手段】
【０００９】
上記目的を達成するために、本発明は以下の手段を採用している。
即ち、本発明に係る椅子は、隣り合って複数配置されることで座及び背もたれを構成するように、座部及び背もたれ部を一体的に備えた本体部材と、隣り合う前記本体部材の前記背もたれ部同士の互いに向き合う端面を固定する固定具と、前記複数の本体部材を座部のみに対して前記座部の裏面側から連結する連結具と、前記連結具を支持する支持部材と、を備えていることを特徴とする。
【００１０】
このような椅子では、隣り合う本体部材同士がそれぞれ固定具によって独立して固定されている。そのため、椅子の外観を変更する際の作業時には、変更部分のみの本体部材の配置替え或いは取り替えと、前記変更部分のみの本体部材と隣り合う本体部材同士を固定する固定具の着脱と、前記変更部分のみの本体部材と連結具との着脱を行えばよい。即ち、椅子の外観を変更する際に、従前のように変更後の外観に合わせた新たな固定具を用意する必要もなく、組立作業時に必ずしも全ての本体部材同士の位置合わせや固定具の着脱を行わずともよい。
また、組立作業時に固定具挿入部の位置合わせや固定具挿入部に対する固定具の挿抜し易い背もたれ部同士はそれぞれ固定具挿入部に挿入された固定具によって独立して固定されている。従って、椅子全体の強度が容易に確保され、且つ、組立作業の効率化も促進される。
【００１１】
本発明に係る椅子では、前記本体部材の前記背もたれ部の少なくとも一方の端面に、前記固定具が挿入される固定具挿入部が形成され、前記固定具挿入部が前記背もたれ部の少なくとも二箇所に形成されていることが好ましい。
【００１２】
このような椅子では、隣り合う本体部材同士がそれぞれ固定具挿入部に挿入された固定具によって独立して固定されている。従って、組立作業時における固定具の着脱は隣り合う本体部材同士の固定具挿入部の位置合わせ及び固定具挿入部に対する固定具の挿抜により簡便に行われ、組立作業の効率化が促進される。
また、背もたれ部の二箇所以上で固定具により固定されることで、隣り合う本体部材同士が確実に支持される。また、着座した利用者の体型等に合わせて隣り合う本体部材同士の間隔が背もたれ部の高さ方向において柔軟に変動可能となるため、背もたれが適度にベンディング可能となる。そして、背もたれの形状に応じて適宜の箇所で隣り合う本体部材同士が固定されており、固定具挿入部の形成数に関わらず同一の固定具により隣り合う本体部材が固定されている。そのため、固定具挿入部の形成数の変更に伴って新たな固定具を用意する必要もなく、椅子の製造性が向上する。
【００１５】
本発明に係る椅子では、前記固定具挿入部が前記背もたれ部の幅方向において有底とされていることが好ましい。
【００１６】
このような椅子では、本体部材の端面からの固定具挿入部の深さによって固定具の挿入深さが所定の範囲内に定められることで、隣り合う本体部材同士の背もたれ部の間隔が適度且つ容易に調整されると共に、組立作業がより効率化される。
【００１７】
また、本発明に係る椅子では、前記固定具挿入部は、前記背もたれ部を幅方向に貫通し、前記固定具の両端部は、隣り合う前記背もたれ部の前記固定具挿入部に挿入され、前記固定具の中央付近には、ストッパが設けられていることが好ましい。
【００１９】
また、本発明に係る椅子では、前記固定具が合成樹脂から構成されていることが好ましい。
【００２０】
このような椅子では、固定具を構成する合成樹脂の特性に応じて椅子に利点がもたらされる。例えば固定具が強度の高い合成樹脂から構成されていれば、本体部材同士の間隔等が強固に保持されるため、座及び背もたれの形状も強固に保持される。また、例えば固定具が弾性に優れた合成樹脂から構成されていれば、本体部材同士の間隔がより柔軟に変動するため、座及び背もたれがより柔軟にベンディング可能となる。このように、固定具が合成樹脂から構成されることで椅子の設計自由度が向上する。
【発明の効果】
【００２１】
本発明に係る椅子によれば、簡易な作業で外観を任意に変更可能とすると共に、組立作業の効率化を図ることができる。
【図面の簡単な説明】
【００２２】
【図１】本発明の第一実施形態である椅子の概略図である。
【図２】本発明の第一実施形態である椅子の側面図である。
【図３】本発明の第一実施形態である椅子の一部分の正面図であり、図２に示すＤ１方向から見た場合に対応する図である。
【図４】本発明の第一実施形態である椅子の一部分の上面図であり、図２に示すＤ２方向から見た場合に対応する図である。
【図５】本発明の第一実施形態の変形例である椅子の一部分の正面図であり、図２に示すＤ１方向から見た場合に対応する図である。
【図６】本発明の第一実施形態の変形例である椅子の一部分の上面図であり、図２に示すＤ２方向から見た場合に対応する図である。
【図７】本発明の第二実施形態である椅子の一部分の正面図であり、図２に示すＤ１方向から見た場合に対応する図である。
【図８】本発明の第二実施形態である椅子の一部分の上面図であり、図２に示すＤ２方向から見た場合に対応する図である。
【図９】本発明の第三実施形態である椅子の一部分の正面図であり、図２に示すＤ１方向から見た場合に対応する図である。
【図１０】本発明の第三実施形態である椅子の一部分の上面図であり、図２に示すＤ２方向から見た場合に対応する図である。
【発明を実施するための形態】
【００２３】
以下、本発明を適用した実施形態である椅子について、図面を参照して説明する。なお、以下の説明で用いる図面は模式的なものであり、長さ、幅、及び厚みの比率等は実際のものと同一とは限らず、適宜変更することができる。
【００２４】
（第一実施形態）
以下、本発明の第一実施形態（以下、単に「第一実施形態」という）について、図１〜図４を参照して説明する。図１は第一実施形態の椅子１を示す概略図である。図２は椅子１を示す側面図である。
【００２５】
図１及び図２に示すように、第一実施形態の椅子１は、隣り合って複数配置された本体部材２と、隣り合う本体部材２，２の間にそれぞれ固定された固定具３と、椅子１の両端の本体部材２に設けられた閉じ具２０と、複数の本体部材２，…，２を連結する連結具５と、連結具５を支持する支持部材１１と、を備えている。なお、図１では固定具３の図示を省略する。
【００２６】
本体部材２は、隣り合って複数配置されることで椅子１の座１Ｓを構成する座部２Ｓと、隣り合って複数配置されることで椅子１の背もたれ１Ｂを構成する背もたれ部２Ｂと、を一体的に備えている。第一実施形態の本体部材２は、座部２Ｓ及び背もたれ部２Ｂに加えて足掛け部２Ｆを一体的に備えている。
【００２７】
座部２Ｓ及び背もたれ部２Ｂの形状は、椅子１に着座する利用者の体型等を勘案した座１Ｓ及び背もたれ１Ｂの形状に合わせて設定されている。足掛け部２Ｆは、背もたれ部２Ｂに接続されている座部２Ｓの端部とは反対側の端部から下方に向けて湾曲するように形成されている。本体部材２が足掛け部２Ｆを備えていることで、利用者が椅子１に着座した際に、本体部材２の角部が利用者の足に接触しない。また、図２に示すように、正面側（即ち、図２に示す矢印Ｄ１方向とは反対側）から椅子１を見た際に、連結具５が足掛け部２Ｆに隠れている。
【００２８】
本体部材２を構成する素材としては、例えばブナ単板の成形合板、無垢材等が挙げられるが、特に限定されない。
【００２９】
図３は椅子１の一部分の正面図であり、図２に示すＤ１方向から見た場合に対応する図である。図４は椅子１の一部分の上面図であり、図２に示すＤ２方向から見た場合に対応する図である。
本体部材２の座部２Ｓと背もたれ部２Ｂのうち少なくとも一方の端面には固定具挿入部１５が形成されている。
第一実施形態では、図３及び図４に示すように、隣り合う本体部材２，２の背もたれ部２Ｂの互いに向き合う端面２ｂ，２ｂに固定具挿入部１５が形成されている。隣り合う本体部材２，２同士が確実に支持されると共に本体部材２，２の間隔が背もたれ部２Ｂの高さ方向において柔軟に変動可能とする観点から、固定具挿入部１５は背もたれ部２Ｂの端面２ｂの少なくとも二箇所以上に形成されていることが好ましい。第一実施形態の本体部材２においては、固定具挿入部１５が背もたれ部２Ｂの端面２ｂの三箇所に形成されている。
【００３０】
固定具挿入部１５は背もたれ部２Ｂの端面２ｂに開口する穴であり、背もたれ部２Ｂの幅方向（即ち、図３及び図４に示す矢印Ｄ５方向）において有底とされている。上記と同様に隣り合う本体部材２，２同士が確実に支持されると共に本体部材２，２の間隔が背もたれ部２Ｂの高さ方向において柔軟に変動可能とされる観点から、固定具挿入部１５の端面２ｂからの深さは、例えば矢印Ｄ５方向における固定具３の長さの５０％未満であることが好ましい。
【００３１】
固定具３は、隣り合う本体部材２の互いに向き合う両端面２ｂ，２ｂに固定されている。第一実施形態の固定具３の端部３ｘは、本体部材２に形成された固定具挿入部１５に挿入可能に形成されている。
【００３２】
固定具３を構成する素材としては、強度及び弾性に優れた合成樹脂が好適である。このような合成樹脂としては、例えば一般に広く使用されている安価なポリアセタール（ＰＯＭ）や、特に優れた強度を有するナイロン等が挙げられる。なお、固定具３を構成する素材は、合成樹脂に限定されない。
【００３３】
閉じ具２０は、椅子１の両側に配置された本体部材２において開放されている端面２ｂに形成された固定具挿入部１５に挿入されている。固定具挿入部１５へ挿入された状態で露出する閉じ具２０のヘッド部分は、図３及び図４に例示するように湾曲形状とされていてもよく、椅子１の外観やデザイン等を考慮して形成されている。
なお、閉じ具２０を構成する素材は合成樹脂であってもよいが、特に限定されない。
【００３４】
図１に示すように、連結具５は、本体部材２の座部２Ｓの裏面側に装着され、複数の本体部材２，…，２を連結する部材である。第一実施形態の連結具５は、複数の本体部材２，…，２を座部２Ｓの裏面側から連結する一対の長尺なパイプで構成されている。連結具５の本体部材２への装着方法は、特に限定されない。例えば、ビス（図示略）を連結具５の厚み方向に貫通させると共に、前記ビスの先端部を本体部材２に埋設することで連結具５を本体部材２に装着してもよく、適宜の装着手段を用いてもよい。
【００３５】
連結具５の構成する素材としては、強度に優れた金属等が好適である。このような金属としては、例えば鉄やステンレス（ＳＵＳ）等が挙げられる。なお、連結具５を構成する素材は、金属に限定されない。
【００３６】
支持部材１１は、多岐脚９と、多岐脚９の中央部より起立する脚柱１０と、を備えている。脚柱１０の上端部（即ち、多岐脚９に接続している端部とは反対側の端部）には、連結具５が接続されている。
支持部材１１を構成する素材は連結具５と同一であってもよく、特に限定されない。
【００３７】
以上説明したように、第一実施形態に係る椅子１は、隣り合って複数配置されることで座１Ｓ及び背もたれ１Ｂを構成するように、座部２Ｓ及び背もたれ部２Ｂを一体的に備えた本体部材２と、隣り合う本体部材２，２の互いに向き合う端面２ｂ，２ｂを固定する固定具３と、複数の本体部材２，…，２を座部２Ｓの裏面側から連結する連結具５と、連結具５を支持する支持部材１１と、を備えている。
【００３８】
上記構成を備えた椅子１では、隣り合う本体部材２，２同士がそれぞれ固定具３によって独立して固定されている。そのため、椅子１の外観を変更する際の作業時には、変更部分のみの本体部材２の配置替え或いは取り替えと、変更部分のみの本体部材２と隣り合う本体部材２，２との間に固定されている固定具３の着脱と、変更部分のみの本体部材２と連結具５との着脱を行えばよい。即ち、椅子１の外観を変更する際に、従前のように変更後の外観に合わせた新たな固定具を用意する必要もなく、組立作業時に必ずしも全ての本体部材同士の位置合わせや固定具３の着脱を行わずともよい。従って、椅子１によれば、簡易な作業で外観を任意に変更可能とすると共に、組立作業の効率化を図ることができる。
また、椅子１では、固定具３の端部３ｘ及び固定具挿入部１５が本体部材２に内在すると共に、連結具５が座部２Ｓの裏面側に配置されることで、外方から固定具３が目立たなくなり、固定具３の端部３ｘ、固定具挿入部１５及び連結具５が視野から隠れる。従って、椅子１のデザイン性が向上する。
【００３９】
また、第一実施形態に係る椅子１においては、本体部材２の背もたれ部２Ｂの端面２ｂに固定具挿入部１５が形成され、固定具挿入部１５には固定具３の少なくとも端部３ｘが挿入されている。
【００４０】
上記構成を備えた椅子１では、隣り合う本体部材２，２同士がそれぞれ固定具挿入部１５に挿入された固定具３によって独立して固定されている。従って、組立作業時における固定具３の着脱は隣り合う本体部材２，２同士の固定具挿入部１５の位置合わせ及び固定具挿入部１５に対する固定具３の挿抜により簡便に行われ、組立作業の効率化が促進される。
また、椅子１では、固定具３が極めてシンプルな形状を有しているため、製造性も向上する。
【００４１】
また、第一実施形態に係る椅子１においては、固定具３は隣り合う本体部材２，２の背もたれ部２Ｂ同士を固定し、連結具５は本体部材２の座部２Ｓを連結している。
【００４２】
上記構成を備えた椅子１では、利用者が着座した際に大部分の荷重がかかる座部２Ｓが連結具５によって強固に連結される。また、組立作業時に固定具挿入部１５の位置合わせや固定具挿入部１５に対する固定具３の挿抜し易い背もたれ部２Ｂ同士がそれぞれ固定具挿入部１５に挿入された固定具３によって独立して固定されている。従って、椅子１全体の強度が容易に確保され、且つ、組立作業の効率化も促進される。
【００４３】
また、第一実施形態に係る椅子１においては、固定具挿入部１５が背もたれ部２Ｂの幅方向において有底とされている。
【００４４】
上記構成を備えた椅子１では、本体部材２の端面２ｂからの固定具挿入部１５の深さによって固定具３の挿入深さが所定の範囲内に定められる。また、利用者が椅子１に着座すると、利用者の背の形状に合わせて隣り合う本体部材２，２同士の間隔が前記所定の範囲内で微調整され得る。従って、椅子１の背もたれ１Ｂが例えば図４に示す矢印Ｄ４方向及び該方向に直交する方向にベンディング可能となる。このように隣り合う本体部材２，２同士の間隔が適度且つ容易に調整されると共に、組立作業がより効率化される。
また、外方から固定具３が確実に目立たなくなり、デザイン性がより向上する。
【００４５】
また、第一実施形態に係る椅子１においては、固定具挿入部１５が背もたれ部２Ｂの三箇所に形成されている。
【００４６】
上記構成を備えた椅子１では、背もたれ部２Ｂの二箇所以上で固定具３により固定されることで、隣り合う本体部材２，２同士が確実に支持される。着座した利用者の体型等に合わせて隣り合う本体部材２，２同士の間隔が背もたれ部２Ｂの高さ方向において柔軟に変動可能となるため、椅子１の背もたれ１Ｂがより円滑且つ適度にベンディング可能となる。このように、背もたれ１Ｂの形状に応じて適宜の箇所で隣り合う本体部材２，２同士が固定され、固定具挿入部１５の形成数に関わらず、同一の固定具３によって隣り合う本体部材２，２が固定されている。そのため、固定具挿入部１５の形成数の変更に伴って新たな固定具を用意する必要もなく、椅子１の製造性がより向上する。
【００４７】
また、第一実施形態に係る椅子１においては、固定具３が合成樹脂から構成されている。
【００４８】
上記構成を備えた椅子１では、固定具３を構成する合成樹脂の特性に応じて椅子１に種々の利点がもたらされる。例えば固定具３が強度の高いナイロン等の合成樹脂から構成されていれば、本体部材２，２同士の間隔等が強固に保持されるため、椅子１の座１Ｓ及び背もたれ１Ｂの形状も強固に保持される。また、例えば固定具３が弾性に優れたＰＯＭ等の合成樹脂から構成されていれば、本体部材２，２同士の間隔がより柔軟に変動するため、椅子１の座１Ｓ及び背もたれ１Ｂがより柔軟にベンディング可能となる。このように、固定具３が合成樹脂から構成されることで椅子１の設計自由度が向上する。
特に、ＰＯＭは広く一般に使用されている安価な素材であるため、固定具３をＰＯＭから構成することで椅子１のコスト低減も実現することができる。
【００４９】
次いで、第一実施形態の椅子１の変形例について説明する。
図５は第一実施形態の椅子１の変形例の一部分を示す正面図であり、図２に示すＤ１方向から見た場合に対応する図である。図６は第一実施形態の椅子１の変形例の一部分を示す上面図であり、図２に示すＤ２方向から見た場合に対応する図である。なお、図５及び図６に示す図面において、図３及び図４に示す椅子１の構成要素と同一の構成要素については、同一の符号を付し、その説明を省略する。
【００５０】
第一実施形態の変形例では、図５及び図６に示すように、本体部材２の背もたれ部２Ｂの端面２ｂに固定具挿入部１９が形成されている。固定具挿入部１９は、背もたれ部２Ｂを幅方向に貫通する貫通孔であり、本体部材２の両端面２ｂ，２ｂに開口している。固定具挿入部１９の形成数及び形成位置の好適な条件は、固定具挿入部１５の形成数及び形成位置の好適な条件と同様である。
【００５１】
第一実施形態の変形例の固定具１３の端部１３ｘは、本体部材２に形成された固定具挿入部１９に挿入可能に形成されている。固定具１３が固定具挿入部１９から抜けることを確実に防止する目的から、固定具１３の中央付近にストッパ１７が設けられていることが好ましい。
固定具１３を構成する素材としては、第一実施形態の固定具３を構成する素材と同様に、強度及び弾性に優れた合成樹脂が好適である。なお、固定具１３を構成する素材は合成樹脂に限定されない。
【００５２】
第一実施形態の変形例の椅子１についても、第一実施形態の椅子１と同様の作用効果が得られる。
なお、第一実施形態の有底の固定具挿入部１５から第一実施形態の変形例の貫通した固定具挿入部１９に変更されることで固定具１３の挿入深さは特段定まらなくなるが、上述のように固定具１３にストッパ１７が設けられていれば固定具１３の挿入深さが所定の範囲内に定められる。
【００５３】
（第二実施形態）
以下、本発明の第二実施形態（以下、単に「第二実施形態」という）について、図７及び図８を参照して説明する。
図７は第二実施形態の椅子（図示略）の一部分の正面図であり、図２に示すＤ１方向から見た場合に対応する図である。図８は第二実施形態の椅子の一部分の上面図であり、図２に示すＤ２方向から見た場合に対応する図である。なお、図７及び図８において、図３及び図４に示す第一実施形態の椅子１の構成要素と同一の構成要素については、同一の符号を付し、その説明を省略する。
【００５４】
第二実施形態の固定具１４は、図８に示すように、第一実施形態の固定具３の中央部分を矢印Ｄ４方向に延出させた形状で形成されている。延出させた固定具１４の端面１４ｓは、隣り合う本体部材２，２の端面２ｓに沿って位置している。固定具１４の端部１４ｘは本体部材２に形成された固定具挿入部１５に挿入可能に形成されている。
【００５５】
第二実施形態の椅子についても、第一実施形態の椅子１と同様の作用効果が得られる。
また、固定具１４の中央部分が本体部材２の端面２ｓに沿う位置まで延出することで外方から隣り合う本体部材２，２の隙間がより目立たなくなり、デザイン性が向上する。一方で固定具１４の色や模様等を本体部材２の色や模様等と異ならせることで、その差異を活かした椅子のデザインを創出することもできる。
【００５６】
なお、第二実施形態では、椅子の組立作業時に不都合が生じなければ、第一実施形態の椅子１と同様の変形例が考えられる。即ち、第二実施形態の固定具挿入部１５を第一実施形態の変形例の固定具挿入部１９に変更してもよい。この場合、固定具１４の中央部分はストッパの役割を担っている。
【００５７】
（第三実施形態）
以下、本発明の第三実施形態（以下、単に「第三実施形態」という）について、図９及び図１０を参照して説明する。
図９は第三実施形態の椅子（図示略）の一部分の正面図であり、図２に示すＤ１方向から見た場合に対応する図である。図１０は第三実施形態の椅子の一部分の上面図であり、図２に示すＤ２方向から見た場合に対応する図である。なお、図９及び図１０において、図３及び図４に示す第一実施形態の椅子１の構成要素と同一の構成要素については、同一の符号を付し、その説明を省略する。
【００５８】
第三実施形態では、図９及び図１０に示すように、本体部材２の背もたれ部２Ｂの端面２ｂに固定具挿入部２３が形成されている。固定具挿入部２３は、第一実施形態の固定具挿入部１５を背もたれ部２Ｂの高さ方向に延出させ、本体部材２の上端面２ｔに開口させた形状で形成されている。
隣り合う本体部材２，２同士が確実に支持されると共に本体部材２，２の間隔が背もたれ部２Ｂの高さ方向において柔軟に変動可能とされる観点から、固定具挿入部２３の端面２ｂからの深さは、例えば矢印Ｄ５方向における固定具３の長さの５０％未満であることが好ましい。
【００５９】
第三実施形態の固定具１６は、固定具挿入部２３の形状に合わせて、第一実施形態の固定具３を背もたれ部２Ｂの高さ方向に延出させた形状で形成されている。延出させた固定具１６の上端面１６ｔは、隣り合う本体部材２，２の上端面２ｔと面一にされている。
【００６０】
第三実施形態の椅子についても、第一実施形態の椅子１と同様の作用効果が得られる。
また、固定具挿入部２３が本体部材２の上端面２ｔに開口すると共に、固定具１６が本体部材２の上端面２ｔと面一になる位置まで背もたれ部２Ｂの高さ方向に延出することで、固定具１６の固定具挿入部２３に対する挿抜がより容易になり、組立作業の効率化がより一層促進される。
【００６１】
以上、本発明の好ましい形態について詳述したが、本発明は上記実施形態に限定されるものではなく、特許請求の範囲内に記載された本発明の要旨の範囲内において、種々の変形・変更が可能である。
また、本発明では適宜、上記実施形態及びその変形例のうち二以上を組み合わせてもよい。
【産業上の利用可能性】
【００６２】
本発明は、設置場所の環境や要望に合わせて外観を変更可能とする要望の高い椅子に好適である。
【符号の説明】
【００６３】
１…椅子、１Ｂ…背もたれ、１Ｓ…座、２…本体部材、２ｂ…端面、２Ｂ…背もたれ部、２Ｓ…座部、３，１３，１４，１６…固定具、５…連結具、１１…支持部材、１５，１９，２３…固定具挿入部、Ｄ５…方向（幅方向）
【図１】
0006485946.tif 000002
【図２】
0006485946.tif 000003
【図３】
0006485946.tif 000004
【図４】
0006485946.tif 000005
【図５】
0006485946.tif 000006
【図６】
0006485946.tif 000007
【図７】
0006485946.tif 000008
【図８】
0006485946.tif 000009
【図９】
0006485946.tif 000010
【図１０】
0006485946.tif 000011